(57)【要約】【課題】簡単な構成で、ペン先の筆記端が摩耗するのを抑制し、安定した幅の線で筆記することができ、筆記の感触を変化させることなく維持することができる筆記具のペン先を提供する。【解決手段】ペン先２は、軸筒内のインキ貯留部から供給されるインキを筆記端２０に導出させるためのものであって、プラスチックにより成形されてなり、毛細管作用によってインキを筆記端２０に導出させるインキ流路２１が軸方向に延びるように形成されたペン先本体２Ａと、ペン先本体２Ａの略中心に軸方向に沿って設けられた、ペン先本体２Ａの先端から露出して筆記端２０を構成する金属芯部材２Ｂと、内部にペン先本体２Ａが配置されてかしめられることによりペン先本体２Ａを保持し、軸筒１の先端に取付けられるホルダ２Ｃとを備えている。【選択図】図２
2011031542.tif 000002
【特許請求の範囲】
【請求項１】
筆記具の軸筒の先端に設けられ、前記軸筒内のインキ貯留部から供給されるインキを筆記端に導出させるペン先であって、
プラスチックにより成形されてなり、毛細管作用によってインキを筆記端に導出させるインキ流路が軸方向に延びるように形成されたペン先本体と、
該ペン先本体の略中心に軸方向に沿って設けられた、前記ペン先本体の先端から露出して前記筆記端を構成する金属製細芯部材と、
を備えていることを特徴とするペン先。
【請求項２】
前記金属製細芯部材が前記ペン先本体の先端から中間までの部分にわたって延在していることを特徴とする請求項１に記載のペン先。
【請求項３】
前記金属製細芯部材が前記ペン先本体の先端から後端までの全長にわたって延在していることを特徴とする請求項１に記載のペン先。
【請求項４】
内部に前記ペン先本体が配置されてかしめられることにより前記ペン先本体を保持し、前記軸筒の先端に取付けられるホルダをさらに備えていることを特徴とする請求項１〜３のいずれか１項に記載のペン先。
【請求項５】
前記金属製細芯部材の後端部が、ホルダによってかしめる位置より後方に位置していることを特徴とする請求項４に記載のペン先。
【請求項６】
前記金属製細芯部材の後端部が、ホルダによってかしめる位置より前方に位置していることを特徴とする請求項４に記載のペン先。
【請求項７】
前記金属製細芯部材がタングステン、ステンレス、銅合金のいずれかの細線により構成されていることを特徴とする請求項１〜６のいずれか１項に記載のペン先。
【発明の詳細な説明】
【技術分野】
【０００１】
本発明は、ペン先に関し、さらに詳しくは、筆記具の軸筒の先端に設けられるペン先であって、前記軸筒内のインキ貯留部から供給されるインキを筆記端に導出させるものに関する。
【背景技術】
【０００２】
筆記具においては、軸筒の先端にペン先が設けられており、軸筒内のインキ貯留部から供給されるインキを、ペン先によってその筆記端に導出させるよう構成されているものがある。そして、ペン先のなかには、プラスチックによって成形され、その内部に毛細管作用によってインキを筆記端に導出させるインキ流路が形成されたものがある（たとえば、特許文献１および２を参照）。なお、このようなプラスチック製のペン先は、ペン芯や、ペン先チップやプラスチックニブなどとも呼ばれ、また、このようなペン先を使用した筆記具はプラスチックペンと呼ばれることもある。
【０００３】
特許文献１には、合成樹脂製管状体の内側のインキ流路にその断面の中心方向に、適宜数の断面ひょうたん形状の最長突出体と、その最長突出体の各間に位置して断面ひょうたん形状の中間長突出体と、該中間長突出体と最長突出体との各間に断面だるま形状の最短突出体とを、上部より下部にわたり縦走せしめ、内側全面のインキ流路が連続していることを特徴とする合成樹脂製ペン先が開示されている。すなわち、特許文献１では、各突出体間に縦方向に且つ中心方向に向う毛細管流路が形成された合成樹脂製ペン先が開示されている。
【０００４】
また、特許文献２には、金属ホルダーと、軸方向にインキの毛細管通路を有して径が１．５ｍｍ以下であるプラスチック製ペン芯とからなり、ホルダーにペン芯の基部を挿着すると共にホルダー先端部から貫出状の先部における芯径部を残して、先端の筆先部を半球状に形成し且つこの先部の芯出し長さＬを芯径Ｄの０．８≦Ｌ／Ｄ≦１以下に設定してなるプラスチック製ペン先が開示されている。
【先行技術文献】
【特許文献】
【０００５】
【特許文献１】実公昭５５−７４１８号公報
【特許文献２】実公平６−３８７０８号公報
【発明の概要】
【発明が解決しようとする課題】
【０００６】
しかしながら、上記特許文献１や特許文献２のような従来の技術にあっては、ペン先の筆記対象の表面（たとえば紙面）に対して摺動される筆記端も含めて、ペン先全体がプラスチックにより構成されているため、筆記具を使用することによって筆記端が次第に摩耗することとなり、その結果、筆記された線が細幅から太幅となるなど安定しなかったり、筆記の感触が変化するなどの問題があった。
【０００７】
本発明は、上述した問題に鑑みてなされたもので、簡単な構成で、筆記具を使用することによりペン先の筆記端が摩耗するのを抑制して、安定した細幅の線で筆記することができると共に、筆記の感触を変化させることなく維持することができる筆記具のペン先を提供することを目的とする。
【課題を解決するための手段】
【０００８】
請求項１のペン先に係る発明は、上記目的を達成するため、筆記具の軸筒の先端に設けられ、前記軸筒内のインキ貯留部から供給されるインキを筆記端に導出させるペン先であって、プラスチックにより成形されてなり、毛細管作用によってインキを筆記端に導出させるインキ流路が軸方向に延びるように形成されたペン先本体と、該ペン先本体の略中心に軸方向に沿って設けられた、前記ペン先本体の先端から露出して前記筆記端を構成する金属製細芯部材とを備えていることを特徴とするものである。
【０００９】
請求項２のペン先に係る発明は、上記目的を達成するため、請求項１に記載の発明において、前記金属製細芯部材が前記ペン先本体の先端から中間までの部分にわたって延在していることを特徴とするものである。
【００１０】
請求項３のペン先に係る発明は、上記目的を達成するため、請求項２に記載の発明において、前記金属製細芯部材が前記ペン先本体の先端から後端までの全長にわたって延在していることを特徴とするものである。
【００１１】
請求項４のペン先に係る発明は、上記目的を達成するため、請求項１〜３のいずれか１項に記載の発明において、内部に前記ペン先本体が配置されてかしめられることにより前記ペン先本体を保持し、前記軸筒の先端に取付けられるホルダをさらに備えていることを特徴とするものである。
【００１２】
請求項５のペン先に係る発明は、上記目的を達成するため、請求項４に記載の発明において、前記金属製細芯部材の後端部が、ホルダによってかしめる位置より後方に位置していることを特徴とするものである。
【００１３】
請求項６のペン先に係る発明は、上記目的を達成するため、請求項４に記載の発明において、前記金属製細芯部材の後端部が、ホルダによってかしめる位置より前方に位置していることを特徴とするものである。
【００１４】
請求項７のペン先に係る発明は、上記目的を達成するため、請求項１〜６のいずれか１項に記載の発明において、前記金属製細芯部材がタングステン、ステンレス、銅合金のいずれかの細線により構成されていることを特徴とするものである。
【発明の効果】
【００１５】
請求項１の発明によれば、プラスチックからなるペン先本体内の略中心に筆記端を構成する金属製細芯部材を設けたことにより、筆記する際に紙面などの筆記対象の表面に対して摺動する筆記端が金属製細芯部材によって構成されるため、筆記端を含めてプラスチックからなるペン先と比較して耐摩耗性が向上し、したがって、ペン先の筆記端の摩耗が抑えられて、安定した幅の線で筆記することができると共に、筆記の感触を変化させることなく維持することができる。
【００１６】
請求項２の発明によれば、請求項１に記載の発明において、前記金属製細芯部材を前記ペン先本体の先端から中間までの部分的に延在させることにより、金属製細芯部材の使用量が少なく、容易に構成することが可能なペン先の構造とすることができる。
【００１７】
請求項３の発明によれば、請求項１に記載の発明において、ペン先本体の先端から後端までの全長にわたって金属製細芯部材を延在させるよう構成することにより、容易に成形することが可能なペン先の構造とすることができる。
【００１８】
請求項４の発明によれば、請求項１〜３のいずれか１項に記載の発明において、ペン先本体をホルダ内に配置し、ホルダをかしめることにより、金属製細芯部材がペン先本体の先端から露出して筆記端を構成するように、ペン先本体に対して所定の位置に容易に且つ確実に位置決めすることが可能であり、そして、このホルダを軸筒に取付けることにより、ペン先を筆記具の先端に対して容易に且つ確実に取付けることが可能な構造とすることができる。
【００１９】
請求項５の発明によれば、請求項４に記載の発明において、前記金属製細芯部材の後端部が、ホルダによってかしめる位置より後方に位置していることにより、すなわち、前記ホルダのかしめる位置が、前記ペン先本体の内部に設けられた前記金属製細芯部材と対応していることにより、ペン先本体の中心に金属製細芯部材を確実に設けることができると共に、金属製細芯部材がプラスチック製ペン先本体に適当な剛性を付与することができる。
【００２０】
請求項６の発明によれば、請求項４に記載の発明において、前記金属製細芯部材の後端部が、ホルダによってかしめる位置より前方に位置していることにより、すなわち、前記ホルダのかしめる位置が、前記ペン先本体の内部に設けられた前記金属製細芯部材と対応しておらず、ホルダのかしめる位置と金属製細芯部材の後端との間がプラスチック製のペン先本体によって構成されていることにより、筆記圧によってペン先本体が弾性的に撓むため、ペン先に適当な弾性を付与して柔らかい筆記感（書き味）を得ることができる。
【００２１】
請求項７の発明によれば、請求項１〜６のいずれか１項に記載の発明において、金属製細芯部材がタングステン、ステンレス、銅合金のいずれかにより構成されていることにより、適切な耐摩耗性で良好な筆記の感触を得ることが可能な構成とすることができる。
【図面の簡単な説明】
【００２２】
【図１】本発明のペン先が採用される筆記具の一例を説明するために示した断面図である。
【図２】本発明のホルダを含むペン先の実施の一形態を説明するために示した拡大断面図である。
【図３】図２の拡大断面図である。
【図４】本発明のホルダを含むペン先の別の実施の形態を説明するために示した拡大断面図である。
【図５】本発明のペン先を製造するための方法の、実施の一形態における各工程を示す説明図である。
【図６】本発明のペン先を製造するための方法の、第２の実施の形態における各工程を示す説明図である。
【図７】本発明のペン先を製造するための方法の、第３の実施の形態における各工程を示す説明図である。
【発明を実施するための形態】
【００２３】
本発明のペン先の実施の一形態を図１〜図３に基づいて以下に詳細に説明する。
本発明のペン先２は、概略、筆記具の軸筒１の先端に設けられ、軸筒１内のインキ貯留部１ａから供給されるインキを筆記端２０に導出させるためのものであって、プラスチックにより成形されてなり、毛細管作用によってインキを筆記端２０に導出させるインキ流路２１が軸方向に延びるように形成されたペン先本体２Ａと、このペン先本体２Ａの径方向略中心に軸方向に沿って設けられ、ペン先本体２Ａの先端から露出して筆記端２０を構成する金属製細芯部材２Ｂと、を備えている。
さらに、この実施の形態においては、内部にペン先本体２Ａが配置されてかしめられることによりペン先本体２Ａを保持し、軸筒１の先端に取付けられるホルダ２Ｃを備えている。
【００２４】
図１に示すように、この実施の形態における筆記具は、内部にインキ貯留部１ａを有する軸筒１と、軸筒の先端に設けられるペン先２と、軸筒１の後端に設けられる栓部材３とを備えている。軸筒１の先端部外周面は漸次縮径するようにテーパ状に成形されている。インキ貯留部１ａには、液状のインキが直接または繊維などのインキ保持部材に含浸された状態で収容され、栓部材３が軸筒１の後端に装着されることによって軸筒１から漏れ出ることなく貯留されている。インキ貯留部１ａは、軸筒１内に固定的に設けられたものに限定されることはなく、カートリッジ式などの着脱可能なものも本発明に含まれる。
【００２５】
ペン先本体２Ａは、たとえばポリアセタール樹脂など、合成樹脂からなるもので、後端がインキ貯留部１ａ内に達する軸方向長さを有している。図２および図３に示すように、ペン先本体２Ａは、その断面形状において、外郭２２の内壁周面から中心に向かってかつ周方向に向って突出する複数の突条２３が軸方向に延びるように形成されている。外郭２２の先端部の外周面は漸次縮径するようにテーパ状に形成されている。
図３に示した実施の形態では、突条２３が、中心に向かって突出する長さによって、長い突条２３ａと、短い突条２３ｂと、中間の長さの突条２３ｃとの３種類の突条が交互に配置されている。これらの突条２３の間には、毛細管作用によってインキをインキ貯留部から筆記端に導出させることが可能なインキ流路２１が形成される。そして、ペン先本体２Ａの径方向中心には、長い突条２３ａの先端（自由端）によって取り囲まれた中心部空間２４が形成されている。各インキ流路２１は、その断面において、外郭２２から中心部空間２４に向って漸次縮幅する略クサビ状に形成されている。そのため、インキは、毛細管作用によって各インキ流路２１を軸方向に流動しつつ、中心部空間２４に向って流動することとなる。なお、突条２３を形成する数は、図３に示した実施の形態に限定されることはなく、インキ流路２１が形成されると共に、後に配置される金属製細芯部材２Ｂを支持し得るように中心部空間２４が形成されたものであればよい。
【００２６】
金属製細芯部材２Ｂは、たとえばタングステン、ステンレス、銅合金などからなるもので、ペン先本体２Ａの中心部空間２４に配置することが可能な径で針金状に成形されている。図１および図２に示した実施の形態における金属製細芯部材２Ｂは、ペン先本体２Ａの先端から所定の中間位置まで部分的に延在する長さに成形されている。筆記端２０を構成する金属製細芯部材２Ｂの先端部分は、ペン先本体２Ａのテーパ状に形成されている先端部と連続するようテーパ状で、先端が所定の半径を有する半球状に形成されている。また、金属製細芯部材２Ｂの後端は、必要に応じて、筆記短２０を構成する先端と同様に形成することができ（図５の（ａ）に実線で示された金属製細芯部材２Ｂを参照）、また軸方向と直交する平坦面に形成することもできる（図５の（ａ）に鎖線で示された金属製細芯部材２Ｂを参照）。さらに、金属製細芯部材２Ｂは、図７に参照されるように、ペン先本体２Ａの先端から後端までその全長にわたって延在させることが可能な長さでもよい。
【００２７】
ホルダ２Ｃは、その内部にペン先本体２Ａが嵌挿されており、外部には、径方向に突出するストッパ２５が形成されている。ストッパ２５の図２における左方の面は、軸筒１の先端面に衝合するように、軸方向と直交する平面状に形成されている。ホルダのストッパ２５よりも図２における左方の外径は、軸筒１の先端に嵌挿することができるような大きさに形成されている。
【００２８】
図２に示した実施の形態では、ホルダ２Ｃは、先端部分がペン先本体２Ａの中心部空間２４に配置された金属製細芯部材２Ｂと対応するように配置されており、この先端部分が縮径するようにかしめられている。言い換えれば、金属製細芯部材２Ｂの後端部が、ホルダ２Ｃの縮径される先端部分の位置より後方に位置している。これにより、金属製細芯部材２Ｂがペン先本体２Ａに対して径方向中心に容易に且つ確実に位置決め保持されると共に、相対的に軸方向に容易に且つ確実に位置決め保持され、また、ホルダ２Ｃに対してペン先本体２Ａが相対的に軸方向に容易に且つ確実に位置決め保持され、ペン先２に適当な剛性が付与されている。
【００２９】
一方、図４に示した別の実施の形態では、ホルダ２Ｃは、先端部分がペン先本体２Ａの中心部空間２４に配置された金属製細芯部材２Ｂの後端よりも後方に配置されており、この先端部分が縮径するようにかしめられている。言い換えれば、金属製細芯部材２Ｂの後端部が、ホルダ２Ｃの縮径される先端部分の位置より前方に位置しており、ホルダ２Ｃのかしめる位置が、ペン先本体２Ａの内部に設けられた金属製細芯部材２Ｂと対応しておらず、ホルダ２Ｃのかしめる位置と金属製細芯部材２Ｂの後端との間がプラスチック製のペン先本体２Ａのみによって構成されている。
これにより、金属製細芯部材２Ｂがペン先本体２Ａに対して径方向中心に容易に且つ確実に位置決め保持されると共に、相対的に軸方向に容易に且つ確実に位置決め保持され、また、ホルダ２Ｃに対してペン先本体２Ａが相対的に軸方向に容易に且つ確実に位置決め保持され、ペン先２に適当な剛性が付与されている。この実施の形態におけるペン先２が採用された筆記具を使用する場合、筆記圧によってペン先本体２Ａのホルダ２Ｃによりかしめられた位置と金属製細芯部材２Ｂの後端との間の部分が弾性的に撓むため、ペン先２に適当な弾性が付与されることとなるため、柔らかい筆記感（書き味）を得ることができる。
【００３０】
次に、本発明のペン先２を製造するための方法の実施の一形態を、図５に基づいて詳細に説明する。本発明のペン先２を製造する方法は、概略、筆記具の軸筒１の先端に設けられ、軸筒１内のインキ貯留部１ａから供給されるインキを筆記端２０に導出させるペン先２であって、毛細管作用によってインキを筆記端２０に導出させるインキ流路２１が軸方向に延びるように形成されたプラスチックからなるペン先本体２Ａと、ペン先本体２Ａの内部に軸方向に沿って設けられペン先本体２Ａの先端から露出して筆記端２０を構成する金属製細芯部材２Ｂとを備えた、ペン先２の製造方法において、金属製細芯部材２Ｂを、成形されたペン先本体２Ａの一方端から内部に挿入することを特徴とする。
【００３１】
本発明のペン先２を製造するに際して、この実施の形態では、図５の（ａ）に示すように、予めペン先本体２Ａをプラスチックにより成形するとともに、金属製細芯部材２Ｂを所定の径および長さで所定形状に成形しておく。ペン先本体２Ａの内部には、外郭２２の内壁周面から中心に向かって突出する複数の突条２３が軸方向に延びるように形成されており、突条２３の間には、毛細管作用によってインキをインキ貯留部１ａから筆記端２０に導出させることが可能なインキ流路２１が形成されている。そして、ペン先本体２Ａの径方向中心には中心部空間２４が形成されている。このようなペン先本体２Ａは、押出成形や引抜成形などによって成形することができる。また、この実施の形態においては、ペン先本体２Ａの先端部分は漸次縮径するようにテーパ状に成形されている。
【００３２】
一方、金属製細芯部材２Ｂは、所定の径および長さで成形されている。また、この実施の形態の場合、金属製細芯部材２Ｂの筆記端２０となる先端部分は、漸次縮径するようにテーパ状で先端が所定の半径を有する半球状に成形されている。なお、金属製細芯部材２Ｂの径は、ペン先本体２Ａの中心部空間２４の径よりも大きく形成されている（たとえば金属製細芯部材２Ｂの直径が０．０５〜０．２０ｍｍで、中心部空間２４の直径が０．０２〜０．１０ｍｍ）。そのため、図５の（ｂ）に示すように、金属製細芯部材２Ｂの後端をペン先本体２Ａの中心部空間２４に押し当てて治具５で押圧して圧入することにより、或いは、治具５で超音波振動を付与することにより、金属製細芯部材２Ｂをペン先本体２Ａの中心部空間２４に挿入する（図５の（ｃ））。この実施の形態においては、金属製細芯部材２Ｂがたとえば２〜１０ｍｍ程度の長さに成形されており、ペン先本体２Ａの先端から所定の中間位置まで部分的に延在している。なお、治具５の先端は、図５の（ｃ）に鎖線で示したように、金属製細芯部材２Ｂの筆記端２０となる先端形状およびペン先本体２Ａの先端部分のテーパ形状に応じて、ペン先本体２Ａ側に延ばして先端に向って漸次拡径するテーパのカップ形状に成形することもできる。この場合には、金属製細芯部材２Ｂをペン先本体２Ａの中心部空間２４に対して適切な軸方向位置まで容易に挿入することができる。
【００３３】
次に、本発明のペン先２を製造するための方法の別の実施の形態を、図６に基づいて詳細に説明する。なお、この実施の形態においては、上述した実施の形態と同様のまたは相当する部分については同じ符号を付してその説明を省略し、異なる部分のみ説明することとする。
【００３４】
上述した実施の形態においては、予め先端部分の外周面がテーパ状に成形されたペン先本体２Ａに、筆記端２０となる先端部分がテーパ状でその先端が所定の半径を有する半球状に成形された金属製細芯部材２Ｂを挿入するのに対し、この実施の形態では、ペン先本体２Ａと金属製細芯部材２Ｂの素材２Ａ’、２Ｂ’の先端面が軸方向に対して直交する面となるようにそれぞれ形成されており、図６の（ａ）に示すように、金属製細芯部材２Ｂの素材２Ｂ’の後端をペン先本体２Ａの素材２Ａ’の中心部空間２４に押し当てて治具５により金属製細芯部材２Ｂの素材２Ｂ’をペン先本体２Ａの素材２Ａ’の中心部空間２４に挿入し（図６の（ｂ））、その後、素材２Ａ’、２Ｂ’の先端を工具６に対して相対的に軸周りに回転させるなどして、切削または研削することにより、先端部分の外周面が漸次縮径するテーパ状のペン先本体２Ａと金属製細芯部材２Ｂからなるペン先２を成形する（図６の（ｃ））。この実施の形態では、金属製細芯部材２Ｂとペン先本体２Ａの中心部空間とが容易に適当な相対的な軸方向位置となるように挿入された状態とすることができ、また、ペン先本体２Ａの先端部分の外周面と、金属製細芯部材２Ｂの筆記端２０となる先端部分とが連続したテーパ状でその先端が半球状となるように容易に成形することができる。
【００３５】
次に、本発明のペン先を製造するための方法のさらに別の実施の形態を、図７に基づいて詳細に説明する。なお、この実施の形態においては、上述した実施の形態と同様のまたは相当する部分については同じ符号を付してその説明を省略し、異なる部分のみ説明することとする。
【００３６】
上述した実施の形態においては、予め先端部分がテーパ状に成形されたペン先本体２Ａの中心部空間２４に、先端が半球状に成形された金属製細芯部材２Ｂを挿入し（図５）、或いは、ペン先本体２Ａと金属製細芯部材２Ｂの素材２Ａ’、２Ｂ’の先端面を軸方向に対して直交する面となるようにそれぞれ単独に形成して、ペン先本体２Ａの素材２Ａ’の中心部空間２４に金属製細芯部材２Ｂの素材２Ｂ’を挿入し、その後、金属製細芯部材２Ｂとペン先本体２Ａの素材２Ｂ’、２Ａ’の先端を切削または研削することによりテーパ状に成形する（図６）のに対して、この実施の形態では、ペン先本体２Ａの素材２Ａ’を連続して押出成形または引出成形するときに、その内部に金属製細芯部材２Ｂの素材２Ｂ’を送り込み順次配置する。その結果、引抜加工または押出加工によりペン先本体２Ａの素材２Ａ’の中心部空間２４に金属製細芯部材２Ｂの素材２Ｂ’が挿入された状態で連続して成形されたものは、複数本分のペン先２の軸方向長さを有している。そして、図７の（ａ）に示すように、回転刃７などにより素材２Ａ’、２Ｂ’を所定の長さに切断し、図６の（ｃ）に参照されるように、素材２Ａ’、２Ｂ’の一方の端部を工具６によって切削または研削して漸次縮径するようにテーパ状に成形すると、本発明に従って構成されたペン先２が製造されることとなる。そして、この実施の形態におけるペン先２は、金属製細芯部材２Ｂがペン先本体２Ａの先端から後端までの全長にわたって延在することとなる。
【００３７】
なお、本発明は、上述した実施の形態に限定されることはなく、たとえば、ペン先本体２Ａの軸方向長さと略同じ長さを有する金属製細芯部材２Ｂをペン先本体２Ａの中心部空間２４に挿入して、先端からペン先本体２Ａの後端までの全長にわたって金属製細芯部材２Ｂが延在するペン先２を製造することもできる。
【産業上の利用可能性】
【００３８】
本発明は、以上説明したように、ペン先２の筆記端２０を金属製細芯部材２Ｂの先端によって構成したので、筆記具を長期にわたって使用しても、ペン先２の筆記端２０が摩耗するのを抑制することができることから、安定した細幅の線で筆記することができると共に、筆記の感触を変化させることなく維持することができる。そして、金属製細芯部材２Ｂをペン先本体２Ａの中間までの部分的に設ける場合において、ホルダ２Ｃのかしめる位置を金属製細芯部材２Ｂの後端の前方と後方のいずれかに変化させることによって（金属製細芯部材２Ｂの長さを変化させることも含む）、ペン先２に剛性または弾性を選択的に付与することができ、筆記感を変更することができる。
【符号の説明】
【００３９】
１：軸筒、  １ａ：インキ貯留部、  ２：ペン先、  ２Ａ：ペン先本体、  ２Ｂ：金属製細芯部材、  ２Ｃ：ホルダ、  ２０：筆記端、  ２１：インキ流路、  ２４：中心部空間
【図１】
2011031542.tif 000003
【図２】
2011031542.tif 000004
【図３】
2011031542.tif 000005
【図４】
2011031542.tif 000006
【図５】
2011031542.tif 000007
【図６】
2011031542.tif 000008
【図７】
2011031542.tif 000009